(57)【要約】【課題】ＴＣＰコネクションの設定・開放に合わせてＬＳＰの設定・開放を実現することにより、ＬＳＰの使用率を向上させ、経済的なインターネットアクセス方式を提供する。【解決手段】ＭＰＬＳネットワークにおけるエッジルータの機能を、インターネット上の各端末コンピュータに持たせ、各端末コンピュータおいて、インターネットのトランスポート層プロトコルにより形成されるＴＣＰコネクションの設定・開放処理に合わせて、ＬＳＰの設定・開放処理を行う。ＬＳＰの設定は、光スイッチにより波長交換を行う波長ルータを介在し、光カップラを通して端末に接続され、波長ルータにＧＭＰＬＳアーキテクチャにおけるコアルータ機能を設ける。【選択図】      図  １
2005005811.tif 000002
【特許請求の範囲】
【請求項１】
ＭＰＬＳ（Ｍｕｌｔｉ  Ｐｒｏｔｏｃｏｌ  Ｌａｂｅｌ  Ｓｗｉｔｃｈｉｎｇ）ネットワークにおけるエッジルータの機能を、インターネット上の各端末コンピュータに持たせ、各端末コンピュータおいて、インターネットのトランスポート層プロトコルによって形成されるＴＣＰ（Ｔｒａｎｓｍｉｓｓｉｏｎ  Ｃｏｎｔｒｏｌ  Ｐｒｏｔｏｃｏｌ）コネクションの設定・開放処理に合わせて、ＬＳＰ（Ｌａｂｅｌ  ＳｗｉｔｃｈｅｄＰａｔｈ）の設定・開放処理を行うことを特徴とするインターネットアクセス方式。
【請求項２】
光スイッチを用いて波長交換を行う波長ルータに対して光ファイバを介して１対１に接続された端末コンピュータ相互が、ＴＣＰ／ＩＰ（Ｉｎｔｅｒｎｅｔ  Ｐｒｏｔｏｃｏｌ）通信を行うインターネットにおいて、波長ルータにはＧＭＰＬＳ  （Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）アーキテクチャにおけるコアルータ機能を実装し、端末コンピュータにはＧＭＰＬＳアーキテクチャにおけるエッジルータ機能を実装し、各端末コンピュータはインターネットのトランスポート層プロトコルにより形成されるＴＣＰコネクションの設定・開放処理にあわせてＬＳＰの設定・開放処理を行なうことを特徴とするインターネットアクセス方式。
【請求項３】
端末コンピュータを波長ルータに接続する１本の光ファイバに、複数の端末コンピュータを収容した光カップラを介して接続させ、同一カップラに接続された複数の端末コンピュータが同一カップラ内の他の端末コンピュータが未使用の波長を使用できるようにしたことを特徴とする請求項２記載のインターネットアクセス方式。
【請求項４】
上記端末コンピュータと光ファイバーで結ばれた波長ルータによってＧＭＰＬＳアーキテクチャにおけるデータプレーンを構成し、制御プレーンは既存のインターネットを用いて実現することを特徴とする請求項２または３記載のインターネットアクセス方式。
【請求項５】
上記制御情報伝送路として、データパスと同一のファイバを用いることを特徴とする請求項２または３記載のインターネットアクセス方式。
【請求項６】
上記端末コンピュータにおいて同時に複数の波長を発振する手段を設け、その各波長に異なるＬＳＰを対応させることにより、複数のＴＣＰコネクションを形成できるようにしたことを特徴とする請求項２、３，４または５記載のインターネットアクセス方式。
【発明の詳細な説明】
【０００１】
【発明の属する技術分野】
この発明は、インターネットのネットワークにＬＳＰ（Ｌａｂｅｌ  Ｓｗｉｔｃｈｅｄ  Ｐａｔｈ）を設定して、コンピュータ間の情報通信を行うインターネットアクセス方式に関する。
【０００２】
【従来の技術】
【特許文献１】特開２００２−３１４５８７号公報
【特許文献２】特開２００２−２２３２３５号公報
【特許文献３】特開２００１−３５８７７７号公報
今日のインターネットの構成は、図１０に示すように、各端末コンピュータ１０間での情報通信を実現するため、インターネット１２中に複数のルータ１４を介在させたネットワークを設け、ネットワーク内の各ルータ１４は入力された情報に付随する宛先を検知し、宛先に対してその情報であるパケットを届けることを基本機能としている。このインターネット１２においては、複数の各端末コンピュータ１０間では、図１１に示すＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）におけるデータ形式のうちの、ＯＳＩ７階層モデルの第４層のトランスポート層のプロトコルであるＴＣＰプロトコルにより情報転送制御を行い、各ルータ１４においては、ネットワーク層のレイヤ３のインターネットプロトコルを用いてＩＰアドレスによるルーティングを行っている。
【０００３】
各ルータ１４は、パケットに付随するヘッダ中に存在するＩＰアドレスによって方路を識別し、識別した方路に対して受信した当該パケットを送出する。各ルータ１４においては単にパケットのヘッダのみに着目し、隣接するルータから送られてくるパケットのヘッダを見てルーティングする。
【０００４】
さらに詳述すると、インターネット１２における通信では、まず送るべきデータを、複数に分割し、それぞれにアドレス情報（ヘッダ）を付して、図１１に示すようなパケットにする。このパケットを基本に端末コンピュータ１０間で、データを送受信する。各パケットの転送は、図１２に示すように、端末Ａから宛先がＢであるパケットＡ１、Ａ２・・・が送出され、端末ＣからはパケットＢ１、Ｂ２、・・・が端末Ｆに送出され、ＥからはＤにむけてパケットＣ１、Ｃ２、・・・が送出される。この情報はルータＲ１に到達し、出側の伝送路１に送出され、伝送路１の上では宛先の異なるパケットがパケット多重化されて伝送される。出側の伝送路が複数あるルータＲ２に入力されたパケットは、そのヘッダＨ中の宛先情報によって必要な方路に対してルーティングされる。この場合には宛先Ｄを持つパケットＣ１、Ｃ２、・・・はルータＲ２によって伝送路３にルーティングされ目的とする端末に到達する。同様に、宛先Ｂを持つパケットＡ１、Ａ２、・・・はルータＲ３によってルーティングされ目的とする端末Ｂに到達し、宛先Ｆを持つパケットＢ１、Ｂ２、・・・はルータＲ３によって端末Ｆに到達する。
【０００５】
一方、端末コンピュータ１０間においてのデータ転送制御は、図１３のようなＴＣＰフロー制御手順で実施される。ＴＣＰプロトコルにおけるコネクションは端末コンピュータ１０間で論理的に設定され、ＴＣＰプロトコルにより規定されている制御方法に従って、一つひとつのパケットの送受信を確認しつつ端末相互間でのデータの送受を実施する。以上説明した、インターネット１２によりデータ伝送方式全体を、図１４に示す。
【０００６】
以上のように、ルータ１４においてはＴＣＰコネクションは一切意識していない。ルータ１４は、ＴＣＰコネクションが何時設定され、何時解除されるかについては見ていないし、複数のコネクションが入り乱れて、設定されており一つひとつのＴＣＰコネクションの管理は、ルータ１４の機能を極めて複雑にするので、ルータ１４では、図１５の細線矢印で示すように、ＴＣＰコネクションの設定・開放に関する管理は一切していない。
【０００７】
ところが近年、上述のルータ方式によるインターネット構成法は、種々の問題が発生した。上記のインターネット構成法においては、すべてのルータ１４がＩＰヘッダを解釈し、それによるルーティングを行っているので、時間的な遅延のばらつき、パケットロス等が多く、通信品質を保証し、またトラフィックエンジニアリングを実施することが難しものであった。そこで、その問題解決のためにＭＰＬＳ（Ｍｕｌｔｉ  Ｐｒｏｔｏｃｏｌ  Ｌａｂｅｌ  Ｓｗｉｔｃｈｉｎｇ）と称されるネットワーク構成が考え出された。ＭＰＬＳにおいては、パケットに新たにラベルを付加し、ラベルのみに着目してルーティングを行うことによって、高速のルーティング、またトラフィックエンジニアリングを実施するものである。そして、これを実現するために、ＭＰＬＳではルータを以下の２つの機能に分けている。
【０００８】
（１）従来のＩＰルータとしての機能を持ち、かつラベルスイッチングを実現するためのラベル生成、ラベル消去機能を有するエッジ機能（この機能のルータをエッジラベルスイッチルータ、以下単にエッジルータＬＥＲ（Ｅｄｇｅ  Ｌａｂｅｌ  Ｓｗｉｔｃｈｉｎｇ  Ｒｏｕｔｅｒ）と称する）
（２）エッジルータにより付加されたラベルに基づいてパケットを、ルーティングするコア機能（この機能を持ったルータをコアスイッチルータ、以下単にコアルータＬＳＲ（Ｌａｂｅｌ  Ｓｗｉｔｃｈｉｎｇ  Ｒｏｕｔｅｒ）と称する）に分け、図１６、図１７（ＭＰＬＳ概念を示す図）に示すようなＭＰＬＳネットワーク１６を構成する。
【０００９】
エッジルータＬＥＲ−エッジルータＬＥＲ間では、コアルータＬＳＲは単にパケットに付加されているラベルを見てルーティングし、ラベルに対応したポートにルーティングされるので、エッジルータＬＥＲに入力されたパケットにラベルが付加された後、そのパケットの通過するパスは一意に決定される。即ちＭＰＬＳにおいてはエッジルータＬＥＲ−エッジルータＬＥＲ間では、論理的に一意のデータパスが形成される。これをＬＳＰ（Ｌａｂｅｌ  Ｓｗｉｔｃｈｅｄ  Ｐａｔｈ）と称し、ＭＰＬＳにおける重要な概念である。
【００１０】
次に、このＬＳＰの生成、消去タイミングについて述べる。ＬＳＰの生成はＭＰＬＳにおいては、ＦＥＣ（Ｆｏｒｗａｒｄｉｎｇ  Ｅｑｕｉｖａｌｅｎｃｅ  Ｃｌａｓｓ）に対応して作られる。ＦＥＣは基本的には宛先情報を基に作られるが、そのルータに入ってくるパケットの要求するサービスクラスに対応して生成される。一度生成されたＦＥＣは半永久的に消すことはない。消す場合は強制的にそれをリセットすることとなるが、ＬＳＰを作っておくことは、エッジルータＬＥＲにとって特に負荷になることは無く、偶にしか来ない場合にも対応できるので、来たそれに対応するパケットの処理としてラベルを生成することさえすればよい。ＬＳＰはそれに付随するＦＥＣに対応して論理的に作成されており、パケット毎に一つのＬＳＰに対応させる。従って、ＭＰＬＳにおいては、ＬＳＰはダイナミックに生成消滅を行うことは想定されていない。
【００１１】
さらに、近年ＬＳＰの概念を拡張し、ＬＳＰの実体化を可能とし、それとともに制御プレーンをデータプレーンとは分離して別網にて制御情報の送受を行えるようにしたＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）が出現した。ＧＭＰＬＳにおいては、制御情報転送はＭＰＬＳによるアーキテクチャを用いて実施し、データパスとしてはインターネットだけではなく、従来の電気通信網におけるネットワークも用いることができるようにした。即ち、ＴＤＭ（Ｔｉｍｅ  Ｄｉｖｉｓｉｏｎ  Ｍｕｌｔｉ  Ｐｌｅｘｉｎｇ）におけるタイムスロット、あるいはＬＳＰを光通信の光波長に割り当てること、あるいはファイバそのものをＬＣＰとして用いることを可能とした。この技術により、従来の空間分割のスイッチや時分割のスイッチ、あるいは光空間分割スイッチ等による回線交換技術を用いた通話路を利用して構成したデータパスをも、コアルータではＬＳＰとして用いることができるようになった。即ち、波長多重伝送方式における波長および光スイッチを用いて、波長スイッチングを行うクロスコネクトと称していた装置を、コアルータとして用いることが可能となった。
【００１２】
ＧＭＰＬＳの概略を、光スイッチを用いた光ルータの構成を例として、図１８に示す。この場合、光スイッチ部を通る一つひとつの波長そのものが一つのＬＳＰを構成する。このＬＳＰを構成するためには、ＭＰＬＳでは、ＬＤＰ（Ｌａｂｅｌ  Ｄｉｓｔｒｉｂｕｔｉｏｎ  Ｐｒｏｔｏｃｏｌ）を用いて記憶装置上にラベル対応表（ＩＬＭ）を作成するだけでよかったが、波長のように実体を持つラベル配布を実施するためにはＬＤＰにより実際にスイッチ制御を実行するための情報（スイッチ制御命令）を配布し、スイッチを制御することが必要となる。このスイッチはＬＳＰが存在する限り、半固定的に波長を特定の光スイッチ端子相互を「半固定的」に接続し続けなければならない。その意味で光スイッチを用いたＧＭＰＬＳルータにおけるデータパスは、機能的には従来のクロスコネクトと同様であると考えられる。
【００１３】
【発明が解決しようとする課題】
このように、スイッチを固定的に接続し続けることは、あまり使われないＬＳＰの場合には、「波長」という実体があるためそのためのコストが必要であり、波長の使用率が悪い場合には、必要以上に波長を使ってしまうこととなりシステムコストを上昇させる。一方、ＴＣＰコネクションはすでに述べたようにデータの送信開始時に設定、データ送信完了時に開放されることを原則としている。即ち必要の都度設定され、不要になったら開放されるように設計されている。スイッチを用いて回線を設定することによってＬＳＰを構成する方式においては、実際にパスが物理的に存在するので、そのパスを実際に用いない場合には開放すること、即ち、ＴＣＰコネクションの設定開放に合わせて、ＬＳＰの開放設定が可能である場合には無駄なパスを張りつづける必要がなくなり、有効である。
【００１４】
しかし、ＧＭＰＬＳにおいても、ＴＣＰコネクションに合わせてＬＳＰの設定を行うことは難しい。それは、あくまでもＧＭＰＬＳが対象とするネットワークはルータで構成されるネットワークを前提としているからであり、ＭＰＬＳとその点では代わりが無いからである。即ち、ＧＭＰＬＳもＭＰＬＳ同様に、複数のコネクションを１つの波長で束ねた形の使い方しかできない。この関係を図１９に示す。波長ＬＳＰ１はＬＥＲ１とＬＥＲ２の間に設定された１つのＬＳＰとする。また、パケットＡはルータＲ１からＲ４に向かうパケットとし、パケットＢはルータＲ２からルータＲ３に向かうものとしたとき、すでに設定されている、あるＦＥＣに対応した波長ＬＳＰ１が設定されている場合に、パケットＡとパケットＢはそれぞれ行き先が異なるがＬＥＲ１とＬＥＲ２間では同一ＦＥＣとすることによって宛先の異なるパケットを同一ＦＥＣに分類して多重化することによって効率を上げ、ＴＣＰコネクションごとにＬＳＰを張らずに、半固定的に設定し続けても、無駄なく有効に波長ＬＳＰを用いるようにしている。即ち、ＬＳＰをＴＣＰコネクションに対して対応させなくとも十分有効な使い方ができる。逆に、そのようなＬＳＰ設定を実施しない限り（トラフィック状況を勘案したＬＳＰ設定を実施しなければならない）波長使用率が悪く、結果的に高コストのネットワークになってしまう。
【００１５】
ＧＭＰＬＳにおいては、ＬＳＰとしては種々のものがありえるとして拡張されたが、ＬＳＰの性格はそのまま残され、ＦＥＣに対して生成され、半固定的に接続状態が保持される。例えば、ファイバをＬＳＰと設定し、スイッチを用いて設定する場合には、そのスイッチを半固定的に状態を保ちつつける必要がある。これは従来よりクロスコネクトとして開発された技術をそのまま使えることを意味しており、このことから、従来型クロスコネクトが、インターネットにおけるＧＭＰＬＳによるコアルータとして用いるようになった。
【００１６】
しかし、この場合あくまでも半固定接続が基本であり、ＴＣＰコネクションの設定・開放にあわせてパス設定を行うものではない。入ってきたパケットを調べ、特定のＦＥＣとの対応が明確になった時点でそれに対応するＬＳＰを張るとした場合、たとえそれが時間的に十分高速にできたとしても、パケットが送り終わることを識別することができないため、パケットの受信、送信に対応させてＬＳＰの開放をきめ細かく設定、開放を実施することは難しい。
【００１７】
一方、きめ細かく設定開放をしないと、その波長に使用率が悪くなり、効率が悪い。しかし現状のクロスコネクトでは、そのようなきめの細かい設定は上記の理由で難しい。さらに、現在の方式では、ＴＣＰコネクションの設定、開放に合わせて、ＬＳＰの設定、開放を行うことは難しく、ルータによってそれを実施する場合には、以下のようなことを実施する必要がある。
【００１８】
ルータにおいてまずＴＣＰ  ヘッダの情報を見る必要がある。すなわち、ＴＣＰヘッダの終端をし、ＴＣＰヘッダを見て、ヘッダのコネクション設定情報を見、それを元にしてＬＤＰを用いて、ラベル情報の交換を実施しなければならない。その後、ＴＣＰヘッダをすべてパケット毎にそれを見てＴＣＰコネクションの開放情報を見つける処理を実施しなければならない。さらに、その結果ＴＣＰコネクション開放が判明した場合、ＬＤＰを用いてＬＳＰ開放処理を実施する必要がある。一つのルータには複数の端末からのパケットが入力されその入力情報のＴＣＰヘッダをすべて調べる必要があり、非常にルータの負荷が増えることとなり、現実的にはその実施は難しい。
【００１９】
この発明は上記従来の技術の問題点に鑑み点されたもので、ＴＣＰコネクションの設定・開放に合わせてＬＳＰの設定・開放を実現することにより、ＬＳＰの使用率を向上させ、経済的なインターネットアクセス方式を提供することを目的とする。
【００２０】
【課題を解決するための手段】
この発明は、ＭＰＬＳネットワークにおけるエッジルータの機能を、インターネット上の各端末コンピュータに持たせ、各端末コンピュータおいて、インターネットのトランスポート層プロトコルにより形成されるＴＣＰコネクションの設定・開放処理に合わせて、ＬＳＰの設定・開放処理を行うインターネットアクセス方式である。即ち、図１に示すように、端末コンピュータ間で、ＴＣＰコネクションの設定・開放に対応させて、ＬＳＰの設定または開放をするものである。
【００２１】
エッジルータ機能においては、入力パケットのヘッダを見て、ＦＥＣを決め、ＦＥＣに対応するラベルの組を作る（ＬＤＰプロトコルを用いて実現する）。その処理をそのまま端末コンピュータに持ってくると、ＦＥＣ分類の入力を端末コンピュータに存在するアプリケーションプログラムとすることが可能であり、アプリケーションと対応させてＬＳＰの設定開放が可能となり、ＴＣＰコネクションの開放設定をＬＳＰの設定・開放に同期させることが出来る。
【００２２】
ＴＣＰコネクションを必要とするのは、アプリケーションがデータを相手端末に送出する必要が出てきたときに設定され、必要とするデータが送り終わった時点で消滅する。これに合わせてＬＳＰを設定・開放することにより、ＬＳＰの使用効率を上げることができる。
【００２３】
また、ＴＣＰなるトランスポート層プロトコル以外に、同じトランスポート層プロトコルであるＵＤＰ（Ｕｓｅｒ  Ｄａｔａｇｒａｍ  Ｐｒｏｔｏｃｏｌ）に対しても本発明の方式がそのまま適用可能である。即ちアプリケーションソフトが、データ転送処理を起動するタイミングを知ることができるので、これに合わせてＬＳＰ設定が可能である。
【００２４】
【発明の実施の形態】
以下、この発明のインターネットアクセス方式の実施形態について図面を基にして説明する。ここで、以下に用いる符号及びアルファベット記号は、上述の従来技術と同様のものは同一の符号または記号とする。図２は本方式のＭＰＬＳによる基本的構成を表した第１実施形態を示す。複数の端末コンピュータ群Ｔ１〜Ｔｎがそれぞれ１００ＢＡＳＥ−Ｔあるいは１ギガビットイーサケーブルを通してルータＲ１に接続され、また他の端末コンピュータ群Ｓ１〜Ｓｎがそれぞれ固有のケーブルによりルータＲ２に収容されている。さらに端末コンピュータ群Ｔｎ，Ｓｎのそれぞれの端末コンピュータ１０には、ＭＬＰＳにおけるエッジルータとしての機能（ＬＥＲ）が実装され、ルータＲ１、Ｒ２にはＭＰＬＳのコアルータとしての機能（ＬＳＲ）が実装されている。この実施形態では、端末コンピュータ１０に設けられた上記エッジルータとしての機能をＣＬＥＲと表示する。そして、各端末コンピュータ群Ｓｎ，Ｔｎを含めてＭＰＬＳネットワーク１６が形成されている。
【００２５】
一つの端末コンピュータＴ１が端末コンピュータＳ１に対してデータを送信する時、ＴＣＰコネクションを実行する前にＬＳＰを対Ｓ１に対して設定する。データ送信要求は、特定のＦＥＣに分類されるのでそのＦＥＣ情報を、ＬＳＰ設定をすべきパスを通過させ、それぞれのコアルータＲ１、Ｒ２に対してラベル設定要求をすることによって行なわれる。それによって端末コンピュータ１０の記憶装置のラベル対応表ＩＬＭにそのラベル対応が作られる。その設定完了を持って、パケットを送信し、ＴＣＰコネクションを張る。データの送出が終わると、ＴＣＰコネクションが開放され、それを基にしてＬＳＰの解除処理を行う。
【００２６】
この実施形態の端末コンピュータ１０の構成を図３に示す。端末コンピュータ１０は、本特許における通信を実現するため、例えばイーサインタフェースを通してＬＡＮカード２０と接続される端末通信ボード２４を実装する。端末通信ボード２４は、ＲＳ２３２Ｃを通した制御信号により指定される波長に対応するＬＤ（レーザダイオード）を点灯させそれに送るべきデータを載せて加入者光ファイバ２６に送り出す。この光ファイバー２６、及び光ラベルスイッチルータにおける図示しない光スイッチファブリックを通して形成される光パスがＬＳＰとなる。即ちこのパスにより、ＧＭＰＬＳアーキテクチャによるデータプレーンが構成される。
【００２７】
本実施形態においては、端末コンピュータ１０のＣＬＥＲ機能と、ルータＲ１，Ｒ２のＬＳＲにより構成されるＭＰＬＳアーキテクチャにより、端末コンピュータ１０のアプリケーションプログラムがＴＣＰコネクションを要求した場合、ＴＣＰコネクションを設定する前にＬＳＰを設定する。この実施形態では端末通信ボード２４において必要な波長を送出し、その波長を相手端末コンピュータ１０まで届くパスを設定しこれをＬＳＰとし、その後でＴＣＰコネクションを設定し必要なデータの送受を行なう。データの送受が終了後、まずＴＣＰコネクションを開放し、続いてＬＳＰの開放を行なう。本実施形態では波長をＬＳＰと対応させることによって波長の有効利用を図ることができる。
【００２８】
図４は、この発明のインターネットアクセス方式の第２実施形態を示す。端末コンピュータ群Ｔ１〜Ｔｎは例えばイーサネット（登録商標）ワークにおけるハブ（以下ＨＵＢ称す）により１本のケーブルに集約され、ルータＲ１の１つのポートに接続される。端末コンピュータ群Ｙ１〜Ｙｎ、も同様にしてＲ１の１つのポートにＨＵＢを介して接続されており、端末コンピュータ群Ｓ１〜Ｓｎ、Ｘ１〜Ｘｎも同様にしてＨＵＢを介してＲ２ポートに接続されている。ルータＲ１は、伝送路を通してルータＲ２に接続されている。ただし、論理的には、各端末コンピュータ１０それぞれは各ルータＲ１，Ｒ２とは１対１で接続されているように制御される。すなわち論理的構成は図２と同一としてある。
【００２９】
この端末コンピュータ群Ｔｎ，Ｙｎ，Ｓｎ，Ｘｎのそれぞれの端末コンピュータ１０には、ＭＰＬＳにおけるエッジルータ機能（ＬＥＲ）が実装されており、また、ルータＲ１、Ｒ２にはコアルータ（ＬＳＲ）としての機能が実装されているものとし、端末コンピュータ１０を含めてＭＰＬＳネットワークが形成されており、第１実施形態で述べたものと同様にしてＴＣＰコネクションの設定・開放にあわせてＬＳＰの設定開放を実施する。
【００３０】
図５は、この発明のインターネットアクセス方式の第３実施形態を示す。図５においては、ＧＭＰＬＳアーキテクチャを、端末コンピュータ群Ｔｎ，Ｓｎと、光りファイバ２８で接続された波長ルータＯＬＳＲとで構成する。波長ルータＯＬＳＲは、各波長をルーティングするため波長の多重化、波長の分離回路及び光スイッチから成る光スイッチファブリック３０を具備する。さらに、波長ルータＯＬＳＲには光スイッチを制御するために制御装置ＬＳＲ−Ｃを備え、ＭＰＬＳにおけるコアルータ機能を実装する。制御装置ＬＳＲ−Ｃからの制御情報により光スイッチファブリック３０における入力ポート、出力ポートの接続状態を制御することができる。端末コンピュータ群Ｔｎ，Ｓｎには、ＭＰＬＳアーキテクチャにおけるエッジ機能ＣＬＥＲが実装される。そして、この実施形態においてもＣＬＥＲとＬＳＲ−ＣとによりＭＰＬＳアーキテクチャにおける制御プレーンが形成される。
【００３１】
図６は、この発明のインターネットアクセス方式の第４実施形態を示すもので、複数波長を同時に送受できるようにすることによって１つの端末コンピュータ１０から複数のＬＳＰを設定することを可能にした実施形態を示す。即ち、端末通信ボード２４内のレーザダイオードＬＤを独立に制御して、任意の複数波長を送受可能とするとともに、複数のイーサインタフェースを持つ構成とすることにより、同時に複数の情報を端末通信ボード２４が送受できるようにする。この方式により、ＴＣＰコネクションを独立に波長数分だけ同時に設定することができ、より多くのサービスの実現ができるようになる。
【００３２】
また、図２，図４の実施形態では、全て電気系で構成されており、データと制御情報が同一伝送路、同一媒体上を伝送されることが妥当である。ＧＭＰＬＳアーキテクチャにおいては、基本的にデータプレーンと制御プレーンは物理的に異なることを前提としている。従って、制御情報は第１実施形態の図３で構成した波長により構成されるデータパス上を伝送される必要はなく、従来の電気技術により構成されたインターネット上を伝送されても問題はない。
【００３３】
図７は、この発明のインターネットアクセス方式の第５実施形態を示すもので、この実施形態では、上記第４実施形態の図６において、ＬＳＰ設定用の波長とは異なる波長λ０を用意し、データとは同一ファイバ２６上を伝送するように構成し、論理的には異なるパスではあるが物理的に伝送路を共用化する構成としたものである。ＬＳＰ用に準備されるファイバ上は波長多重が可能であり、波長を違えれば情報が交じり合うことがないので、制御プレーン用の別の媒体が不要となり経済的構成が可能である。第１実施形態の図３に対しても同じ考え方を適用できる。
【００３４】
図８は、この発明のインターネットアクセス方式の第６実施形態を示すもので、端末コンピュータ１０と波長ルータＯＬＳＲとを結ぶファイバ２６に光カップラ３２を導入し波長ルータＯＬＳＲの１つのポートに複数の端末コンピュータ１０が接続できるようにした実施形態である。図９に示すように、例えば波長数８を、３２台の端末コンピュータで共用して使うことができるようし、３２台の端末コンピュータ１０は空いている任意の波長を使用できるようにしたものである。これは平均的に１つの波長を４つの端末が用いていることになり、波長の使用効率を向上できる。これは各端末の使用頻度により１つの波長あたりの平均端末コンピュータ数を決めていく必要があるもののシステム経済化に有効な方法である。
【００３５】
この実施例に対しても、図５に示すものに対してと同様に
（１）制御パスのデータパスと一体化する。
（２）１つの端末コンピュータが複数波長を同時に送受できるようにすることによって複数の波長ＬＳＰを同時に設定できるようにする。
という実施例が存在する。
【００３６】
【発明の効果】
この発明は、インターネット上に接続された端末コンピュータ間の通信において、ＴＣＰコネクションの設定・開放に合わせてＬＳＰの設定・開放を実現することにより、ＬＳＰの使用率を向上させ、高速で大容量の通信を、経済的に且つ簡単な構成で達成することができるものである。
【図面の簡単な説明】
【図１】従来の技術のＴＣＰ／ＩＰにおける端末コンピュータでの処理（ａ）と、この発明の端末コンピュータでの処理（ｂ）とを示す概略図である。
【図２】この発明の第１実施形態のＭＰＬＳアーキテクチャによるインターネットアクセス方式の基本構成概念図である。
【図３】この発明の第１実施形態の端末コンピュータの構成を示す概略図である。
【図４】この発明の第２実施形態のＭＰＬＳアーキテクチャによるインターネットアクセス方式の基本構成概念図である。
【図５】この発明の第３実施形態のＭＰＬＳアーキテクチャによるインターネットアクセス方式の基本構成概念図である。
【図６】この発明の第４実施形態の端末コンピュータの構成を示す概略図である。
【図７】この発明の第５実施形態の端末コンピュータの構成を示す概略図である。
【図８】この発明の第６実施形態のＭＰＬＳアーキテクチャによるインターネットアクセス方式の基本構成概念図である。
【図９】この発明の第６実施形態の端末コンピュータの接続例を示す概略図である。
【図１０】インターネットの基本的構成を示す概略図である。
【図１１】ＴＣＰ／ＩＰプロトコルにおけるデータの形式を示す概略図である。
【図１２】パケット転送方式を示す概念図である。
【図１３】ＴＣＰのフロー制御機能を示す概略図である。
【図１４】インターネットの情報転送方式を示す概略図である。
【図１５】ルータの処理階層を示す概念図である。
【図１６】ＭＰＬＳアーキテクチャを示す概念図である。
【図１７】ＭＰＬＳにおけるパケットの転送を示す概念図である。
【図１８】ＧＭＰＬＳルータの概念図である。
【図１９】波長ＬＳＰを用いたＧＭＰＬＳネットワークにおけるパケット転送方式を示す概念図である。
【符号の説明】
１０  端末コンピュータ
１２  インターネット
１４  ルータ
１６  ＭＰＬＳネットワーク
【図１】
2005005811.tif 000003
【図２】
2005005811.tif 000004
【図３】
2005005811.tif 000005
【図４】
2005005811.tif 000006
【図５】
2005005811.tif 000007
【図６】
2005005811.tif 000008
【図７】
2005005811.tif 000009
【図８】
2005005811.tif 000010
【図９】
2005005811.tif 000011
【図１０】
2005005811.tif 000012
【図１１】
2005005811.tif 000013
【図１２】
2005005811.tif 000014
【図１３】
2005005811.tif 000015
【図１４】
2005005811.tif 000016
【図１５】
2005005811.tif 000017
【図１６】
2005005811.tif 000018
【図１７】
2005005811.tif 000019
【図１８】
2005005811.tif 000020
【図１９】
2005005811.tif 000021